【手続補正書】
【提出日】平成30年11月27日(2018.11.27)
【手続補正１】
【補正対象書類名】特許請求の範囲
【補正対象項目名】全文
【補正方法】変更
【補正の内容】
【特許請求の範囲】
【請求項１】
決済金額を取得する取得手段と、
前記決済金額を決済するための決済方法の残高を判定する判定手段と、
前記残高が前記決済金額未満であり、かつ前記残高がゼロではない場合には、前記残高が不足している旨を操作者に報知するとともに、前記決済金額のうちの前記残高に相当する金額を前記決済方法で決済することを指示するための操作を受け付ける第１の案内画面を表示デバイスに表示させ、前記残高がゼロである場合には、前記残高が不足している旨を操作者に報知するとともに、前記操作は不可とした第２の案内画面を表示デバイスに表示させる表示制御手段と、
前記操作を受け付けたことに応じて前記決済金額のうちの前記残高に相当する金額を前記決済方法で決済する決済手段と、
を具備したことを特徴とする決済装置。
【請求項２】
前記表示制御手段は、前記操作を受け付けるための表示部品を含めることで前記第１の案内画面を生成し、当該第１の案内画面を、前記表示部品の表示形態を変更するか、又は前記表示部品を削除するように編集することにより前記第２の案内画面を生成する、
ことを特徴とする請求項１に記載の決済装置。
【請求項３】
前記表示制御手段は、前記残高がゼロではない場合には、前記決済金額のうちの前記残高に相当する金額を前記決済方法で決済する際には前記操作を行うべきであることの案内を前記第１の案内画面に表し、前記残高がゼロである場合には、前記案内を前記第２の案内画面には表さない、
ことを特徴とする請求項１又は請求項２に記載の決済装置。
【請求項４】
決済装置の動作を制御するコンピュータを、
決済金額を取得する取得手段と、
前記決済金額を決済するための決済方法の残高を判定する判定手段と、
前記残高が前記決済金額未満であり、かつ前記残高がゼロではない場合には、前記残高が不足している旨を操作者に報知するとともに、前記決済金額のうちの前記残高に相当する金額を前記決済方法で決済することを指示するための操作を受け付ける第１の案内画面を表示デバイスに表示させ、前記残高がゼロである場合には、前記残高が不足している旨を操作者に報知するとともに、前記操作は受け付け不可とした第２の案内画面を表示デバイスに表示させる表示制御手段と、
前記操作を受け付けたことに応じて前記決済金額のうちの前記残高に相当する金額を前記決済方法で決済する決済手段と、
して機能させる制御プログラム。
【請求項５】
買上商品として登録された商品に関する決済金額を算出する算出手段と、
前記決済金額を決済するための決済方法の残高を判定する判定手段と、
前記残高が前記決済金額未満であり、かつ前記残高がゼロではない場合には、前記残高が不足している旨を操作者に報知するとともに、前記決済金額のうちの前記残高に相当する金額を前記決済方法で決済することを指示するための操作を受け付ける第１の案内画面を表示デバイスに表示させ、前記残高がゼロである場合には、前記残高が不足している旨を操作者に報知するとともに、前記操作は受け付け不可とした第２の案内画面を表示デバイスに表示させる表示制御手段と、
前記操作を受け付けたことに応じて前記決済金額のうちの前記残高に相当する金額を前記決済方法で決済する決済手段と、
を具備したことを特徴とする商品販売データ処理装置。
【手続補正２】
【補正対象書類名】明細書
【補正対象項目名】０００７
【補正方法】変更
【補正の内容】
【０００７】
実施形態の決済装置は、取得手段、判定手段、表示制御手段及び決済手段を備える。取得手段は、決済金額を取得する。判定手段は、決済金額を決済するための決済方法の残高を判定する。表示制御手段は、残高が決済金額未満であり、かつ前記残高がゼロではない場合には、残高が不足している旨を操作者に報知するとともに、決済金額のうちの残高に相当する金額を決済方法で決済することを指示するための操作を受け付ける第１の案内画面を表示デバイスに表示させ、前記残高がゼロである場合には、前記残高が不足している旨を操作者に報知するとともに、前記操作は受け付け不可とした第２の案内画面を表示デバイスに表示させる。決済手段は、前記操作を受け付けたことに応じて決済金額のうちの残高に相当する金額を決済方法で決済する。
【手続補正３】
【補正対象書類名】明細書
【補正対象項目名】００１５
【補正方法】変更
【補正の内容】
【００１５】
メインタッチパネル９は、表示デバイス及びタッチセンサを含む。表示デバイスは、ＧＵＩ（graphical user interface）画面などの操作者に対して提示すべき任意の画面を表示する。表示デバイスとしては、例えばカラーＬＣＤ（liquid crystal display）等の周知のデバイスが利用できる。タッチセンサは、表示デバイスの表示面に重ねて配置されている。タッチセンサは、表示デバイスの表示面への操作者のタッチ位置を検出し、その位置情報をＣＰＵ１へと送る。タッチセンサとしては、周知のデバイスが利用できる。
サブタッチパネル１０は、表示デバイス及びタッチセンサを含む。表示デバイスは、ＧＵＩ画面などの買物客に対して提示すべき任意の画面を表示する。表示デバイスとしては、例えばカラーＬＣＤ等の周知のデバイスが利用できる。タッチセンサは、表示デバイスの表示面に重ねて配置されている。タッチセンサは、表示デバイスの表示面への買物客のタッチ位置を検出し、その位置情報をＣＰＵ１へと送る。タッチセンサとしては、周知のデバイスが利用できる。
【手続補正４】
【補正対象書類名】明細書
【補正対象項目名】００３０
【補正方法】変更
【補正の内容】
【００３０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
以下に、本願の当初の特許請求の範囲に記載された発明を付記する。
［付記１］  決済金額を取得する取得手段と、
前記決済金額を決済するための決済方法の残高を判定する判定手段と、
前記残高が前記決済金額未満である場合に、前記残高が不足している旨を操作者に報知するとともに、前記残高がゼロではない場合には前記決済金額のうちの前記残高に相当する金額を前記決済方法で決済することの指示を前記操作者に行わせるためのインタフェースを有効化し、前記残高がゼロである場合には前記インタフェースを無効化するか、もしくは非表示とした案内画面を表示デバイスに表示させる表示制御手段と、
有効化されている前記インタフェースが操作されたことに応じて前記決済金額のうちの前記残高に相当する金額を前記決済方法で決済する決済手段と、
を具備したことを特徴とする決済装置。
［付記２］  前記表示制御手段は、前記インタフェースを表した案内画面から前記インタフェースを削除することにより前記インタフェースを非表示とした案内画面を生成する、
ことを特徴とする付記１に記載の決済装置。
［付記３］  前記表示制御手段は、前記残高がゼロではない場合には、前記決済金額のうちの前記残高に相当する金額を前記決済方法で決済する場合には前記インタフェースを操作すべきであることの案内を前記案内画面に表し、前記残高がゼロである場合には、前記案内を前記案内画面に表さない、
ことを特徴とする付記１又は付記２に記載の決済装置。
［付記４］  決済装置の動作を制御するコンピュータを、
決済金額を取得する取得手段と、
前記決済金額を決済するための決済方法の残高を判定する判定手段と、
前記残高が前記決済金額未満である場合に、前記残高が不足している旨を操作者に報知するとともに、前記残高がゼロではない場合には前記決済金額のうちの前記残高に相当する金額を前記決済方法で決済することの指示を前記操作者に行わせるためのインタフェースを有効化し、前記残高がゼロである場合には前記インタフェースを無効化するか、もしくは非表示とした案内画面を表示デバイスに表示させる表示制御手段と、
有効化されている前記インタフェースが操作されたことに応じて前記決済金額のうちの前記残高に相当する金額を前記決済方法で決済する決済手段と、
して機能させる制御プログラム。
［付記５］  買上商品として登録された商品に関する決済金額を算出する算出手段と、
前記決済金額を決済するための決済方法の残高を判定する判定手段と、
前記残高が前記決済金額未満である場合に、前記残高が不足している旨を操作者に報知するとともに、前記残高がゼロではない場合には前記決済金額のうちの前記残高に相当する金額を前記決済方法で決済することの指示を前記操作者に行わせるためのインタフェースを有効化し、前記残高がゼロである場合には前記インタフェースを無効化するか、もしくは非表示とした案内画面を表示デバイスに表示させる表示制御手段と、
有効化されている前記インタフェースが操作されたことに応じて前記決済金額のうちの前記残高に相当する金額を前記決済方法で決済する決済手段と、
を具備したことを特徴とする商品販売データ処理装置。
【手続補正５】
【補正対象書類名】図面
【補正対象項目名】図２
【補正方法】変更
【補正の内容】
【図２】
2017134667.tif 000001